(57)【要約】  【課題】回動や前後スライドが可能な座部を備える椅子において、不用意に座部が移動してしまうことのない椅子を提供する。  【解決手段】椅子１は、座部２０と、脚部１０と、座部２０を脚部１０に対して前後スライド可能に且つ鉛直軸回りに回動可能に連結する連結部３０と、を備え、連結部３０は、脚部１０に固定される第一回動板４１と、第一回動板４１に対して回動可能に連結される第二回動板４５と、第一回動板４１と第二回動板４５とを段階的に係止して回動不可状態とする回動係止部材５０と、を有する回動部材４０と、第二回動板４５に固定される第一スライド部材６１と、第一スライド部材６１に対して前後方向にスライド可能に連結されると共に座部２０に固定される第二スライド部材６１と、第一スライド部材６１と第二スライド部材６５とを段階的に係止してスライド不可状態とするスライド係止部材７０と、を有するスライド部材６０と、を備える。【選択図】図１
2018023569.tif 000002
【特許請求の範囲】
【請求項１】
座部と、脚部と、前記座部を前記脚部に対して前後スライド可能に且つ鉛直軸回りに回動可能に連結する連結部と、を備える椅子において、
前記連結部は、回動部材と、スライド部材と、を備え、
前記回動部材は、
前記脚部に対して固定される第一回動板と、
前記第一回動板に対して鉛直軸回りに回動可能に連結される第二回動板と、
前記第一回動板と前記第二回動板とを段階的に係止して回動不可状態とする回動係止部材と、を備え、
前記スライド部材は、
前記第二回動板に対して固定される第一スライド部材と、
前記第一スライド部材に対して前後方向にスライド可能に連結されると共に前記座部に対して固定される第二スライド部材と、
前記第一スライド部材と前記第二スライド部材とを段階的に係止してスライド不可状態とするスライド係止部材と、を有することを特徴とする椅子。
【請求項２】
前記回動係止部材は、
前記第一回動板又は前記第二回動板の一方側に設置された複数の回動係止穴と、
前記第一回動板又は前記第二回動板の他方側に揺動可能に設置された回動操作レバーであって、所定の回動位置において前記回動係止穴に嵌まることで前記回動不可状態となる回動係止凸部を有し、前記回動係止凸部が前記回動係止穴に嵌まる揺動方向に自重又は弾性部材により付勢された回動操作レバーと、を備え、
前記スライド係止部材は、
前記第一スライド部材又は前記第二スライド部材の一方側に設置された複数のスライド係止穴と、
前記第一スライド部材又は前記第二スライド部材の他方側に揺動可能に設置されたスライド操作レバーであって、所定のスライド位置において前記スライド係止穴に嵌まることで前記スライド不可状態となるスライド係止凸部を有する、前記スライド係止凸部が前記スライド係止穴に嵌まる揺動方向に自重又は弾性部材により付勢されたスライド操作レバーと、
を備えることを特徴とする請求項１記載の椅子。
【請求項３】
前記スライド操作レバーは、前記座部の下方においてその前側端から後側端まで延在して設置されており、前記座部の前側からも後側からも操作可能であることを特徴とする請求項２記載の椅子。
【請求項４】
前記回動操作レバーは、前記座部の下方においてその右側又は左側に突出するように設置されており、前記座部の右側又は左側から操作可能に設置されていることを特徴とする請求項３記載の椅子。
【発明の詳細な説明】
【技術分野】
【０００１】
本発明は、椅子に関し、特に、介護の用途に適した椅子に関する。
【背景技術】
【０００２】
介護が必要な要介護者は、椅子に座ったり、椅子から立ったり、座った椅子を前に引いたり、座った椅子を後に下げたりする動作を一人で行うのが困難な場合が多く、また、要介護者が座った状態の椅子を介護者が動かすのも体力的に困難である。
【０００３】
下記特許文献１には、下から順に設置された脚部、台枠、一対のレール、回転板及び座部を備え、座部の回動と前後移動とを可能にすることで、高齢者等が楽に着席等を行うことのできる椅子が開示されている。
【先行技術文献】
【特許文献】
【０００４】
【特許文献１】登録実用新案第３１３９４８０号公報
【発明の概要】
【発明が解決しようとする課題】
【０００５】
しかし、上記特許文献１に開示された椅子は、高齢者等が座部を容易に回動させたり前後移動させたりできるように、弱い力でも座部を自在に動かすことができるように構成されている。このため、高齢者等が椅子に座る際に座部にぶつかると、座部が大きく移動してしまって高齢者等が転んでしまう恐れがある。また、座部を移動させる際に座部に力を加え過ぎると、座部が移動し過ぎてしまって、同じく高齢者等が転んでしまうおそれがある。
【０００６】
本発明は、このような課題に鑑みてなされたものであり、回動や前後スライドが可能な座部を備える椅子において、不用意に座部が移動してしまうことのない椅子を提供することを目的とする。
【課題を解決するための手段】
【０００７】
上記課題を解決するために、本発明に係る椅子は、座部と、脚部と、前記座部を前記脚部に対して前後スライド可能に且つ鉛直軸回りに回動可能に連結する連結部と、を備える椅子において、前記連結部は、回動部材と、スライド部材と、を備え、前記回動部材は、前記脚部に対して固定される第一回動板と、前記第一回動板に対して鉛直軸回りに回動可能に連結される第二回動板と、前記第一回動板と前記第二回動板とを段階的に係止して回動不可状態とする回動係止部材と、を備え、前記スライド部材は、前記第二回動板に対して固定される第一スライド部材と、前記第一スライド部材に対して前後方向にスライド可能に連結されると共に前記座部に対して固定される第二スライド部材と、前記第一スライド部材と前記第二スライド部材とを段階的に係止してスライド不可状態とするスライド係止部材と、を有することを特徴とする。
【発明の効果】
【０００８】
本発明に係る椅子によれば、回動や前後スライドが可能な座部を備える椅子において、意図しない力が座部に加わっても、座部が不用意に移動することがなく、高齢者等であっても安全に使用することができる。
【図面の簡単な説明】
【０００９】
【図１】図１は、本発明の実施形態に係る介護用椅子の分解斜視図である。
【図２】図２は、本発明の実施形態に係る介護用椅子の斜視図である。
【図３】図３は、本発明の実施形態に係る介護用椅子の回動及びスライド動作を説明するための斜視図である。
【図４】図４は、本発明の実施形態に係る連結部の構成を示す斜視図である。
【図５】図５は、本発明の実施形態に係る回動部材の構成を示す図である。
【図６】図６は、本発明の実施形態に係る介護用椅子のスライド動作を説明するための図である。
【図７】図７は、本発明の実施形態に係る介護用椅子のスライド動作を説明するための図である。
【図８】図８は、本発明の実施形態に係る介護用椅子のスライド動作を説明するための図である。
【図９】図９は、本発明の実施形態に係る介護用椅子のスライド動作を説明するための図である。
【発明を実施するための形態】
【００１０】
以下、図面を参照しながら、本実施形態に係る介護用椅子について説明する。本実施形態では、要介護者である高齢者等の介護に用いる介護用椅子を例に挙げて説明するが、もちろん本発明は、介護用の椅子に限らず、様々な用途の椅子に適用することができる。
【００１１】
図１は、本実施形態に係る介護用椅子の分解斜視図である。図２は、本実施形態に係る介護用椅子の斜視図である。図３は、本実施形態に係る介護用椅子の回動及びスライド動作を説明するための斜視図であり、図３（ａ）は、スライド動作を示し、図３（ｂ）は、回動動作を示している。
【００１２】
図４は、本実施形態に係る連結部の斜視図である。図５は、本実施形態に係る回動部材の構成を示す図であり、図５（ａ）は、回動操作レバーの操作状態を示す側面図であり、図５（ｂ）は、回動部材の回動状態を示す底面図である。
【００１３】
図６〜図９は、本実施形態に係る介護用椅子のスライド動作を説明するための図であり、図６及び図７は、座部が後方にスライドした状態、図８及び図９は、座部が前方にスライドした状態を示している。
【００１４】
介護用椅子１は、脚部１０と、座部２０と、脚部１０と座部２０とを回動可能且つ前後にスライド可能に連結する連結部３０とを備える。脚部１０は、四本の脚１１と、四本の脚１１を一体に連結すると共に連結部３０に連結される脚連結部１２とを備える。
【００１５】
座部２０は、連結部３０に連結される座板２１と、座板２１の上面に設置される座クッション２３と、座板２１に固定される背部２５と、座板２１に固定される肘部２８とを備える。背部２５は、その表面に設置される背クッション２６を備えている。
【００１６】
連結部３０は、座部２０を脚部１０に対して鉛直軸回りに回動自在に連結するための回動部材４０と、座部２０を脚部１０に対して前後方向にスライド可能に連結するためのスライド部材６０とを備えている。本実施形態では、回動部材４０が下側に位置して脚部１０に連結され、スライド部材６０が上方に位置して座部２０に連結されている。
【００１７】
このように、本実施形態では、床に設置された脚部１０と、鉛直回動軸回りに回動可能な回動部材４０と、水平前後方向にスライド可能なスライド部材６０と、座部２０とが順次下から設置されている。よって、床に設置された脚部１０に対して、スライド部材６０及び座部２０が一体となって鉛直軸回りに回動可能であり、スライド部材６０に対して、座部２０が前後方向にスライド可能である。すなわち、本実施形態では、床に設置される脚部１０に対して、座部２０は鉛直回動軸回りに回動可能であると共に、前後方向にスライド可能である。
【００１８】
回動部材４０は、第一回動板４１と、第一回動板４１に対して回動自在にその上側に連結設置された第二回動板４５と、回動係止部材５０とを備えている。第一回動板４１は、略正方形状の板であり、脚部１０の脚連結部１２の中央部分に固定されている。略正方形状の板である第二回動板４５は、第一回動板４１に対して、鉛直軸回りに回動自在に連結されている。
【００１９】
回動係止部材５０は、第一回動板４１と第二回動板４５とを相対的に回動できないように係止するための部材であり、これにより、第一回動板４１と第二回動板４５とは段階的に90°毎に係止させられて停止しながら回動する。回動係止部材５０は、回動係止穴５１と、回動操作レバー５２と、回動操作レバー支持部５５とを備えている。
【００２０】
回動係止穴５１は、第一回動板４１の各辺中央部分に形成された切り欠きであり、鉛直回動軸回りに90°毎に四つ形成されている。この回動係止穴５１に後述する回動操作レバー５２の回動係止凸部が嵌まることで、第一回動板４１と第二回動板４５とが係止されて、相互に回動できない回動不可状態となる（図５参照）。
【００２１】
回動操作レバー支持部５５は、回動操作レバー５２を第二回動板４５に対して水平な揺動軸回りに揺動自在に軸支するための部材であり、回動操作レバー５２の揺動軸となる回動操作揺動軸５５１と、回動操作レバー５２を所望の揺動方向に付勢するための付勢ばね５５２とを備えている。回動操作揺動軸５５１は、介護用椅子１の略前後方向に水平に延在する軸である。弾性部材である付勢ばね５５２は、コイルばねであり、回動操作揺動軸５５１がコイル部分内を貫通している。
【００２２】
回動操作レバー５２は、座部２０の右側半分において略左右横方向に水平に延在して設置された棒状部材であり、上述したように、回動操作レバー支持部５５により水平な揺動軸回りに揺動自在に軸支されている。回動操作レバー５２は、内側先端に回動係止穴５１に嵌まる回動係止凸部５２１が形成され、外側先端に取っ手５２２が形成されている。取っ手５２２は、ゴムキャップ５２３が被せられている。
【００２３】
回動操作レバー支持部５５は、座部２０に対して前後方向にスライド可能な第二回動板４５の右側（座部２０に着席した者から見て右側）に固定されており、取っ手５２２が座部２０の右側外側に突出するように回動操作レバー５２を支持している。もちろん、取っ手５２２が座部２０の左側に突出するように設置しても良い。
【００２４】
回動操作レバー５２は、その延在方向の真ん中部分よりも内側寄り（回動係止凸部５２１寄り）の部分に揺動軸挿通穴５２６が形成されており、揺動軸挿通穴５２６を回動操作揺動軸５５１が貫通することで、回動操作レバー５２は、第二回動板４５に対して揺動可能に軸支されている。
【００２５】
回動操作レバー５２が揺動可能に軸支される第二回動板４５は、座部２０に対して鉛直軸回りに回動することはなく、前後方向にスライド可能なだけであるため、回動操作レバー５２の取っ手５２２は、前後方向にスライドされることはあるが、常に座板２１の右側縁付近に突出したままである。
【００２６】
よって、介護用椅子１に座っている要介護者は、右手で操作することになる座板２１の右側縁付近に取っ手５２２が位置する操作レバーが、座部２０を鉛直軸回りに回動させるための回動操作レバー５２であると簡単に覚えることができ、回動操作時に間違って前後方向スライド用の操作レバー（スライド操作レバー７１）を間違って操作してしまうことを防止することができる。
【００２７】
ここで、回動操作レバー５２の取っ手５２２側が上方に移動すると、回動操作揺動軸５５１を挟んで反対側の回動係止凸部５２１が下降し（図５（ａ）の実線で示した状態）、反対に、取っ手５２２側が下方に移動すると、回動係止凸部５２１が上昇する（図５（ａ）の一点鎖線で示した状態）。付勢ばね５５２は、取っ手５２２が上昇し、回動係止凸部５２１が下降する方向に、揺動軸回りに回動操作レバー５２を付勢している。
【００２８】
第一回動板４１の四つの回動係止穴５１は、回動操作レバー５２が設置された第二回動板４５が第一回動板４１に対して回動する際に回動係止凸部５２１が通過する軌跡上に、90°毎に設置されている。回動操作レバー５２は、付勢ばね５５２より、回動係止凸部５２１が下方に移動するように付勢されており、第二回動板４５の回動中に、回動係止凸部５２１が回動係止穴５１の位置に来ると、上記付勢力により回動係止凸部５２１が回動係止穴５１に嵌まり込むように構成されている。
【００２９】
よって、介護用椅子１に座っている要介護者等が回動操作レバー５２を触っていない、すなわち、回動操作レバー５２に力が加えられていない状態では、回動係止凸部５２１が回動係止穴５１以外の部分に位置する場合には、回動係止凸部５２１は、第一回動板４１の上面に圧接しており、第一回動板４１と第二回動板４５とが相互に回動可能な回動可能状態となっている。
【００３０】
一方、回動操作レバー５２に力が加えられていない状態で、回動係止凸部５２１が回動係止穴５１の部分に位置する場合には、回動係止凸部５２１は、回動係止穴５１に嵌まり、第一回動板４１と第二回動板４５とが回動方向に係止されて、相互に回動できない回動不可状態となる。
【００３１】
回動不可状態において、要介護者等によって取っ手５２２が操作され、付勢ばね５５２の弾性力に抗して下降すると、回動係止凸部５２１が上昇し、回動係止穴５１から外れて係止状態が解除される。すなわち、第二回動板４５が第一可動板４１に対して回動可能な回動可能状態となる（図３（ｂ）参照）。
【００３２】
このように構成された介護用椅子１において、第二回動板４５を第一回動板４１に対して一周（360°）回転させる場合には、回動操作レバー５２の取っ手５２２を付勢ばね５５２の弾性力に逆らって上方に上げ続けておかない限り、90°毎に回動係止凸部５２１が回動係止穴５１に嵌まって回動不可状態となり、その都度、回動操作レバー５２を操作して係止状態を解除する必要がある。
【００３３】
すなわち、介護用椅子１は、座部２０がいったん回転し始めても、回転し続けることなく、90°毎に段階的に係止されて回転が停止する。よって、座部２０が回転し過ぎることにより、着席している要介護者が介護用椅子１から落ちたり、姿勢を大きく崩したりしてケガをすることもなく、安全に使用することができる。
【００３４】
スライド部材６０は、座部２０側に固定されるスライドレール（第二スライド部材）６５と、回動部材４０側に固定されるリニアガイド６１と、スライドレール６５とリニアガイド（第一スライド部材）６１とを相対的にスライドできないように係止するスライド係止部材７０とを備えている。
【００３５】
第二スライド部材であるスライドレール６５は、座板２１の裏面の左右両側に平行に二本固定設置されている。第一スライド部材であるリニアガイド６１は、第二回動板４５の上面の左右両側に平行に二本固定設置されており、各リニアガイドは、前後方向の二箇所で第二回動板４５の上面に固定されている。
【００３６】
第二回動板４５の右側に設置されたリニアガイド６１が右側のスライドレール６５にスライド自在に嵌合され、第二回動板４５の左側に設置されたリニアガイド６１が左側のスライドレール６５にスライド自在に嵌合されている。
【００３７】
スライド係止部材７０は、スライドレール６５とリニアガイド６１とを段階的に係止させて停止させるための部材であり、スライド操作レバー７１と、スライド操作レバー７１を揺動可能に支持するためのスライド操作レバー支持部７３と、リニアガイド（第一スライド部材）６１側である第二回動板４５に固定設置されたスライド係止板７６とを備えている。
【００３８】
スライド操作レバー７１は、介護用椅子１の前後方向に延在する棒状部材であり、座板２１の裏面の左後方部分に固定されたスライド操作レバー支持部７３によって、座部２０の横方向水平軸回りに揺動可能に軸支されている。
【００３９】
スライド操作レバー７１は、スライド係止凸部７１２と、前方に設置された前側取っ手７１３と、後方に設置された後側取っ手７１４と、スライド操作レバー支持部７３に支持される、横方向に水平に延在するスライド操作揺動軸７１６とを備えている。前側取っ手７１３は、主として、介護用椅子１に座っている要介護者が使用する取っ手であり、後側取っ手７１４は、主として、介護用椅子１に座らずに要介護者の傍に位置する介護者が使用する取っ手である。
【００４０】
前側取っ手７１３は、水平横方向に延在する長方形状のフレーム部材であり、座板２１の前側縁近傍において、左端から右端まで延在設置されている。よって、座部２０の着席者である要介護者は、前側の左端から右端の何れかの部分から座板２１の下方に手先を入れれば前側取っ手７１３に容易に触ることができ、前側取っ手７１３を直接目視しなくても触ることができる。
【００４１】
後側取っ手７１４は、スライド操作レバー７１の後側端部において、鉛直上方に折れ曲がって延在する部分であり、端部に被せられたゴムキャップ７１５を備えている。後側取っ手７１４は、座板２１のスライド操作用穴２１１を通って、座板２１の上面側に露出しており、操作者は、座板２１の上方から後側取っ手７１４を触ることができる。
【００４２】
スライド操作揺動軸７１６は、スライド操作レバー７１の前後延在部分の後側取っ手７１４寄りの部分に形成されており、スライド操作レバー７１の本体から左方向に水平に突出した棒状部分である。
【００４３】
スライド係止凸部７１２は、スライド操作レバー７１の前後方向の真ん中付近とスライド操作揺動軸７１６との間に形成された下方凸部であり、スライド操作レバー７１の本体から下方に鉛直に突出した棒状部分である。スライド係止凸部７１２は、後述する第二回動板４５に形成された二つのスライド係止穴７７に嵌まることで、スライドレール６５とリニアガイド６１とを相対的にスライドできないように係止して、スライド不可状態とする。
【００４４】
スライド操作レバー支持部７３は、座板２１の裏面の左後方部分に固定されており、スライド操作揺動軸７１６を保持する円筒部７３１と、スライド操作レバー７１を所定の揺動方向に付勢するための付勢ばね７３２とを備えている。
【００４５】
円筒部７３１は、横方向に水平に延在する円筒形状であり、内部にスライド操作揺動軸７１６が回動自在に嵌挿されている。これにより、スライド操作揺動軸７１６は、スライド操作レバー支持部７３によって、横方向水平揺動軸回りに揺動自在に軸支される。
【００４６】
弾性部材である付勢ばね７３２は、板ばねであり、一端が第二回動板４５の下面に固定されると共に、他端がスライド操作レバー７１のスライド操作揺動軸７１６よりも後方の部分の下面に接触して、この部分を上方に押し上げるように付勢している。すなわち、付勢ばね７３２は、その弾性力により、後側取っ手７１４が上昇し、前側取っ手７１３が下降する揺動方向にスライド操作レバー７１を付勢している。
【００４７】
よって、スライド操作レバー７１が要介護者等によって操作されていない状態では、スライド操作レバー７１は前側が下がると共に後側が上がるように、すなわち、スライド係止凸部７１２が下方に移動するように付勢ばね７３２によって押されている（図６の実線で示す状態）。
【００４８】
スライド係止板７６は、スライド操作レバー７１の前後方向延在部分の下方において、左側のリニアガイド６１と一体に第二回動板４５に固定されている。スライド係止板７６には、縦方向に所定の間隔でスライド係止穴７７が二箇所に形成されている。
【００４９】
ここで、スライド操作レバー７１は、スライド操作揺動軸７１６よりも前側（スライド係止凸部７１２側）が下方に移動する揺動方向に付勢されており、前側が下降した状態では、スライド係止凸部７１２がスライド係止穴７７内に嵌まり込むように構成されている。
【００５０】
よって、座部２０側に固定されたスライドレール６５が、回動部材４０の第二回動板４５に固定されたリニアガイド６１に対してスライドして、スライド係止凸部７１２がスライド係止穴７７の上方に位置すると、付勢ばね７３２により前側が下がるように押されているスライド操作レバー７１のスライド係止凸部７１２がスライド係止穴７７に嵌まり込み、スライドレール６５とリニアガイド６１とが相対的に移動できないように形成されたスライド不可状態となる。
【００５１】
一方、スライド係止凸部７１２の下方にスライド係止穴７７が位置していない状態では、スライド係止凸部７１２は、スライド係止板７６の上面に押し付けられて接触しているだけであるため、スライドレール６５とリニアガイド６１とは前後方向にスライド可能なスライド可能状態となる。
【００５２】
また、スライド係止凸部７１２がスライド係止穴７７に嵌まっているスライド不可状態を解除するためには、付勢ばね７３２の弾性力に抗してスライド係止凸部７１２を上昇させてスライド係止穴７７の外に出す必要がある。本実施形態では、スライド係止穴７７が二箇所に形成されており、スライド部材６０は、二つの位置でスライド不可状態となる。すなわち、座部２０は、後方にスライドした状態（図６及び図７に示す状態）と、前方にスライドした状態（図８及び図９に示す状態）の二つの位置でスライド不可状態として安定する。
【００５３】
スライド不可状態を解除するためには、スライド操作レバー７１の前側取っ手７１３を上昇させるか、後側取っ手７１４を下降させる必要がある（図６の一点鎖線で示す状態）。前側取っ手７１３は、座板２１の前側縁近傍に位置しており、座部２０に着席している要介護者の手で引き上げるのに適している。後側取っ手７１４は、座板２１の後側縁近傍に位置しており、介護者の手で押し下げるのに適している。
【００５４】
このように、本実施形態では、スライド不可状態を解除するためのスライド操作レバー７１の取っ手７１３，７１４を座部２０の前側部分と後側部分の双方に設けているため、介護用椅子１に着席している要介護者と、介護用椅子１の脇で介助を行う介護者の双方が容易にスライド解除のためのスライド操作レバー７１の操作を行うことができる。
【００５５】
また、本実施形態では、回動不可状態を解除するための回動操作レバー５２の取っ手５２２が座部２０の右側縁部近傍に設置されているのに対して、スライド不可状態を解除するためのスライド操作レバー７１の取っ手７１３，７１４は座部２０の前後縁部近傍に設けられている。このように、回動操作用の取っ手５２２とスライド操作用の取っ手７１３，７１４とが離れた場所に設置されており、回動係止解除とスライド係止解除の操作を間違うことがなく、高齢者等であっても安全に使用することができる。
【００５６】
以上、介護用椅子１の構成について説明したが、続いて、介護用椅子１の使用態様について説明する。本実施形態では、食事の際に要介護者が食事テーブルの傍に設置されている介護用椅子１に座る場合を例に挙げて説明する。また、初期状態では、スライド部材６０は、座部２０が最も引っ込んだ位置でスライド不可状態となっており、回動部材４０は、座部２０が食事テーブルに対向する基本位置（0°）から右回りに90°回動した位置で回動不可状態となっている。
【００５７】
まず、食事テーブルに対して右側に90°回転した状態の座部２０に要介護者が着席する。座部２０が右側に回動しているので、要介護者は食事テーブルと椅子１との間に入る必要がなく、椅子１の横から容易に座部２０に座ることができる。また、椅子１は回動不可状態及びスライド不可状態であるため、着席時に要介護者が座部２０にぶつかっても座部２０が回転したりスライドしたりすることがないので、安全に座ることができる。
【００５８】
要介護者の着席後、座部２０を食事テーブルの正面に向けるために、着席したまま座部２０を左回りに90°回転させる。着席時、椅子１は回動不可状態にあるため、回動操作レバー５２を操作して回動不可状態を解除する。具体的には、回動操作レバー５２の取っ手５２２の部分を、付勢ばね５５２の付勢力に抗して、要介護者又は介護者が下方に押し下げることで、回動係止凸部５２１が上昇して回動係止穴５１から抜け、回動係止部材５０の回動不可状態が解除されて回動可能状態となる（図３（ｂ）参照）。
【００５９】
図５（ａ）において、実線で示している回動操作レバー５２は、力が加えられておらず、回動係止凸部５２１が回動係止穴５１に嵌まっている回動不可状態を示しており、一点鎖線で示している回動操作レバー５２は、回動操作レバー５２が付勢ばね５５２の付勢力に抗して操作され、回動可能となった状態を示している。
【００６０】
解除後、要介護者又は介護者により座部２０を左回りに回転させる。座部２０が少しでも左回りに回転すると、回動係止凸部５２１は回動係止穴５１が存在しない場所に移動するので、回動操作レバー５２の取っ手５２２から手を離しても回動係止凸部５２１が回動係止穴５１に嵌まることはなく、回動可能状態のままである。
【００６１】
よって、要介護者又は介護者は、回動操作レバー５２から手を離したまま、座部２０を回転させることができる。座部２０が左回りに90°回転して食事テーブルの正面に向くと、回動係止凸部５２１が隣の回動係止穴５１に到達し、付勢ばね５５２により下方に付勢されている回動係止凸部５２１が回動係止穴５１に嵌まり、回動部材４０は再び回動不可状態となる。図５（ｂ）において、点線で示した部分は、回動部材４０が90°回転して回動不可となった状態を示している。
【００６２】
続いて、着席している要介護者が食事をし易いように、座部２０を食事テーブルに近付けるために前方向にスライドさせる。初期状態では、スライド部材６０は、座部２０が後方にスライドした状態且つスライド不可状態である（図８及び図９に示す状態）ため、座部２０をスライドさせる際には、要介護者又は介護者がスライド操作レバー７１を操作してスライド係止部材７０によるスライド不可状態を解除する必要がある。
【００６３】
具体的には、図３（ａ）に示すように、付勢ばね７３２の付勢力に抗して、スライド操作レバー７１の前側取っ手７１３を引き上げるか、後側取っ手７１４を押し下げることで、スライド係止凸部７１２が上昇してスライド係止穴７７から抜け、スライド不可状態が解除されてスライド可能状態となる（図３（ｂ）参照）。座部２０に座っている要介護者が操作する場合には、前側取っ手７１３を操作し、椅子１の傍に位置している介護者が操作する場合には、後側取っ手７１４を操作すれば、容易にスライド操作レバー７１を操作することができる。
【００６４】
解除後、要介護者又は介護者により座部２０を前方向にスライドさせる。座部２０が少しでも前側にスライドすると、スライド係止凸部７１２はスライド係止穴７７が存在しない場所に移動するので、スライド操作レバー７１の取っ手７１３，７１４から手を離してもスライド係止凸部７１２がスライド係止穴７７に嵌まることはなく、スライド係止板７６の上面に当接しながら移動するだけで、スライド可能状態は維持されたままである。
【００６５】
よって、要介護者又は介護者は、スライド操作レバー７１から手を離したまま、座部２０を前方向にスライドさせることができる。座部２０が前方向にスライドし、スライド係止凸部７１２が前側に位置するスライド係止穴７７の位置まで移動すると、付勢ばね７３２により下方に付勢されているスライド係止凸部７１２がスライド係止穴７７に嵌まり、スライド部材６０は再びスライド不可状態となる（図８及び図９に示す状態）。
【００６６】
このように、座部２０が前方に移動し、スライド不可状態となって固定されると、着席作業は終了する。これにより、介護用椅子１全体を移動させることなく、要介護者は食事テーブルに近付くことができ、食事がし易くなる。また、食事が終わった後は、逆の動作をすることで、要介護者が容易に椅子から立ち上がることができる。
【００６７】
以上、詳細に説明した本実施形態によれば、回動係止部材５０の付勢ばね５５２により回動操作レバー５２が回動不可状態となる揺動方向に付勢され、スライド係止部材７０の付勢ばね７３２により、スライド操作レバー７１がスライド不可状態となる揺動方向に付勢されているため、回動部材及びスライド部材は基本的には動作不可状態となり、係止状態を解除するためには、付勢ばね５５２，７３２の弾性力に抗して操作レバーを操作して解除する必要がある。
【００６８】
また、動作不可状態が解除された後も、所定の距離スライドや回動すると、必ず係止状態となって回動不可状態となる。よって、本実施形態においては、意図しない力が座部２０に加わったとしても、座部が不用意に移動することがなく、高齢者等であっても安全に介護用椅子１を利用することができる。
【００６９】
また、本実施形態では、連結部３０において、回動部材４０が下側に設置され、スライド部材６０が上側に設置されている。スライド部材６０が下側に設置されていると、回動部材４０の鉛直回動軸が介護用椅子１の重心から離れてしまい、座部２０の回動が不安定になるおそれがあるが、回動部材４０が下側であれば、回動軸が常に椅子の重心付近で固定されるため、回動動作が安定し、椅子の転倒等を防ぐことができる。
【００７０】
以上、本発明の実施の形態について詳細に説明したが、本発明は上述した実施形態に限定されるものではなく、本発明の主旨を逸脱しない範囲内で種々の変形が可能である。例えば、上記実施形態に係る介護用椅子を構成する部材のサイズや形状等は適宜変更可能である。
【００７１】
また、上記実施形態では、スライド部材は、二つの位置で係止状態となって二段階でスライド可能に構成され、回動部材は、四つの位置で係止状態となって四段階で回動可能に構成されているが、係止状態となる位置の数や場所は適宜変更可能である。
【００７２】
また、上記実施形態では、スライド部材は、第一スライド部材であるリニアガイドが下方の第二回動板に固定され、第二スライド部材であるスライドレールが上方の座部に固定されているが、第一スライド部材がスライドレールで、第二スライド部材がリニアガイドであっても良い。
【００７３】
また、上記実施形態では、回動係止部材は、回動係止穴が第一可動板側に設置され、回動操作レバーが第二可動板側に設置されているが、逆に、回動係止穴が第二可動板側に設置され、回動操作レバーが第一可動板側に設置されていても良い。
【００７４】
また、上記実施形態では、スライド係止部材は、スライド係止穴が第二可動板側に設置され、スライド操作レバーが座部側に設置されているが、逆に、スライド係止穴が座部側に設置され、スライド係止穴が座部側に設置されていても良い。
【００７５】
また、上記実施形態では、回動操作レバー及びスライド操作レバーを係止状態となる揺動方向に付勢する部材として付勢ばねを設置しているが、付勢ばねを設置する代わりに、自重により回動操作レバー及びスライド操作レバーが係止状態となる揺動方向に付勢されるように構成しても良い。例えば、上記実施形態に係るスライド操作レバーは、揺動軸よりも前側の部分の体積が後側の部分よりも格段に大きいため、付勢ばねが設置されていなくても、前側取っ手側が下方に移動する揺動方向に付勢されることになる。
【符号の説明】
【００７６】
１      介護用椅子
１０    脚部
１１    脚
１２    脚連結部
２０    座部
２１    座板
２３    座クッション
２５    背部
２６    背クッション
２８    肘部
３０    連結部
４０    回動部材
４１    第一回動板
５１    回転係止穴
４５    第二回動板
５２    回動操作レバー
５２１  回動係止凸部
５２２  取っ手
５２３  ゴムキャップ
５２６  揺動軸挿通穴
５５    回動操作レバー支持部
５５１  回動操作揺動軸
５５２  付勢ばね
７６    スライド係止板
７７    スライド係止穴
５０    回動係止部材
６０    スライド部材
６１    リニアガイド
６５    スライドレール
７１    スライド操作レバー
７１２  スライド係止凸部
７１３  前側取っ手
７１４  後側取っ手
７１５  ゴムキャップ
７１６  スライド操作揺動軸
７３    スライド操作レバー支持部
７３１  円筒部
７３２  付勢ばね
７０    スライド係止部材
【図１】
2018023569.tif 000003
【図２】
2018023569.tif 000004
【図３】
2018023569.tif 000005
【図４】
2018023569.tif 000006
【図５】
2018023569.tif 000007
【図６】
2018023569.tif 000008
【図７】
2018023569.tif 000009
【図８】
2018023569.tif 000010
【図９】
2018023569.tif 000011